(57)【要約】【課題】  夜間に発光素子を点灯させ、発光素子が消灯した場合であっても、外部の光を受けてバンド本体の表面全体を明るくし、第三者に自分の位置・存在を知らせることができる照明バンドを提供する。【解決手段】  照明バンド１は、細長帯状のバンド本体２と、バンド本体２の表面２ａに所定間隔あけて配設された発光素子１１と、バンド本体２に設けられ、各発光素子１１を接続する導電部とからなる。バンド本体２の表面２ａには、蛍光部材、反射部材又は夜光（蓄光）部材が設けられている。【選択図】        図１
2010013716.tif 000002
【特許請求の範囲】
【請求項１】
細長帯状のバンド本体と、
バンド本体の表面に所定間隔あけて配設された発光素子と、
バンド本体に設けられ、各発光素子を接続する導電部とからなり、
バンド本体の表面には、蛍光部材が設けられていることを特徴とする照明バンド。
【請求項２】
細長帯状のバンド本体と、
バンド本体の表面に所定間隔あけて配設された発光素子と、
バンド本体に設けられ、各発光素子を接続する導電部とからなり、
バンド本体の表面には、反射部材が設けられていることを特徴とする照明バンド。
【請求項３】
細長帯状のバンド本体と、
バンド本体の表面に所定間隔あけて配設された発光素子と、
バンド本体に設けられ、各発光素子を接続する導電部とからなり、
バンド本体の表面には、夜光部材が設けられていることを特徴とする照明バンド。
【請求項４】
バンド本体の裏面には、接着部が設けられていることを特徴とする請求項１、２又は３記載の照明バンド。
【請求項５】
バンド本体は、透過性を有する合成樹脂素材によって被覆されていることを特徴とする請求項１、２又は３記載の照明バンド。
【請求項６】
バンド本体の裏側の合成樹脂素材の表面には、接着部が設けられていることを特徴とする請求項５記載の照明バンド。
【請求項７】
バンド本体は基板であって、基板の裏面には、基板の端縁から延出する大きさに形成された細長帯状の合成樹脂フィルムが設けられ、合成樹脂フィルムの表面には基板全体を被覆するように透過性を有する軟質合成樹脂素材によって成形されたカバー体が設けられていることを特徴とする請求項１、２又は３記載の照明バンド。
【請求項８】
合成樹脂フィルムの裏面には接着部が形成され、接着部には剥離紙が設けられていることを特徴とする請求項７記載の照明バンド。
【請求項９】
バンド本体の表面又は裏面には、表裏方向に折曲し易くするための第１の折曲溝が形成されていることを特徴とする請求項１乃至８のいずれか１項に記載の照明バンド。
【請求項１０】
バンド本体の短手方向両端には、短手方向に折曲し易くするための第２の折曲溝が形成されていることを特徴とする請求項１乃至８のいずれか１項に記載の照明バンド。
【請求項１１】
バンド本体は、複数のバンド小片が連結されて構成され、長さを調節することが可能であり、
各バンド小片には少なくとも一つの発光素子が設けられていることを特徴とする請求項１乃至１０のいずれか１項に記載の照明バンド。
【請求項１２】
バンド小片には、他のバンド小片に設けられた発光素子と異なる発光色の発光素子が設けられていることを特徴とする請求項１１記載の照明バンド。
【請求項１３】
請求項１乃至１２のいずれか１項に記載の照明バンドと、
この照明バンドのバンド本体の導電部を接続し、各発光素子に電気を供給するバッテリーボックスとからなることを特徴とする照明装置。
【請求項１４】
請求項１乃至１２のいずれか１項に記載の照明バンドが複数と、
この複数の照明バンドのバンド本体の導電部を接続し、各発光素子に電気を供給するバッテリーボックスとからなることを特徴とする照明装置。
【請求項１５】
バンド本体の一端には導電部に接続された第１のコネクタが設けられ、
バッテリーボックスは、先端に第２のコネクタが設けられた電気コードを有しており、
バンド本体は、これの第１のコネクタをバッテリーボックスの第２のコネクタに連結することにより、バッテリーボックスに着脱可能に接続されることを特徴とする請求項１３又は１４記載の照明装置。
【請求項１６】
前記バッテリーボックスには、各発光素子を点滅させる制御回路が設けられていることを特徴とする請求項１３、１４又は１５に記載の照明装置。
【請求項１７】
前記バッテリーボックスには、各発光素子を点滅及び点灯させる制御回路と、各発光素子の点滅と点灯を切り替える切替式スイッチが設けられていることを特徴とする請求項１３、１４又は１５に記載の照明装置。
【請求項１８】
請求項１３乃至１７のいずれか１項に記載の照明装置を備えたヘルメットであって、
バンド本体及びバッテリーボックスは、ヘルメット本体の表面に取り付けられていることを特徴とするヘルメット。
【請求項１９】
請求項１３乃至１７のいずれか１項に記載の照明装置を備えたヘルメットであって、
バンド本体は、ヘルメット本体の表面に取り付けられ、
バッテリーボックスは、ヘルメット本体の裏面に設けられた緩衝部材に埋設されていることを特徴とするヘルメット。
【発明の詳細な説明】
【技術分野】
【０００１】
本発明は、夜間に自分の位置を第三者に知らせるため、衣服、鞄、ヘルメット、自転車等に装着可能な照明バンドと、当該照明バンドとバッテリーボックスを組み合わせた照明装置と、当該照明装置を装着したヘルメットに関する。
【背景技術】
【０００２】
従来の照明バンドには、環状のバンド本体の所定位置にＬＥＤが等間隔で配置され、バンド本体とは別個のバッテリーによって、ＬＥＤを点灯させるものがある（例えば、特許文献１）。この照明バンドは、ヘルメットに装着されて使用される。
【先行技術文献】
【特許文献】
【０００３】
【特許文献１】特開平９−２９１４１０号公報
【発明の概要】
【発明が解決しようとする課題】
【０００４】
従来の照明バンドは、ヘルメットに装着し、夜間にＬＥＤを点灯させて、第三者に自分の位置・存在を知らせることができるものであるが、手元を照らす照明器具としても利用可能ではある。この従来の照明バンドは、電池が切れてＬＥＤが消灯した場合、第三者に自分の位置・存在を知らせることができなくなると共に、手元が暗くなるという問題点があった。【０００５】
また、従来の照明バンドは、バンド本体が環状に形成され、所定の形状・サイズのヘルメットに装着されるが、ヘルメットの形状・サイズが異なると、装着することができなくなるという問題点があった。例えばヘルメットのサイズが大きいと、きつくて所定位置で装着することができず、また逆にヘルメットの形状が小さいと、緩くて外れ易くなる。さらにヘルメットの形状が異なると、バンド本体の接触面がヘルメットの外側の曲面に対応できなくなり、一部が接触しなくなる等、完全な面接触をすることができず、見栄えも悪くなり、接触していない一部が引っ掛かりやすいという問題点があった。【０００６】
本願発明は、上記問題点に鑑み案出したものであって、夜間に発光素子を点灯させて第三者に自分の位置・存在を知らせることができると共に、手元を明るくすることができ、発光素子が消灯した場合であっても、外部の光を受けてバンド本体の表面全体を明るくし、第三者に自分の位置・存在を知らせることができる照明バンドを提供することを第１の目的とする。また、上記第１の目的を備え、さらに装着する被装着物の形状・大きさに合せて、フレキシブルに接触面の形状を変化させることができる照明バンドを提供することを第２の目的とする。また、第１、第２の目的を備え、長期間使用でき、どのような種類の被装着物にも取り付けることができる照明装置を提供することを第３の目的とする。さらに、第３の目的を備えた照明装置を装着したヘルメットを提供することを第４の目的とする。
【課題を解決するための手段】
【０００７】
本願請求項１に係る照明バンドは、上記第１の目的を達成するため、細長帯状のバンド本体と、バンド本体の表面に所定間隔あけて配設された発光素子と、バンド本体に設けられ、各発光素子を接続する導電部とからなり、バンド本体の表面には、蛍光部材が設けられていることを特徴とする。【０００８】
本願請求項２に係る照明バンドは、上記第１の目的を達成するため、細長帯状のバンド本体と、バンド本体の表面に所定間隔あけて配設された発光素子と、バンド本体に設けられ、各発光素子を接続する導電部とからなり、バンド本体の表面には、反射部材が設けられていることを特徴とする。【０００９】
本願請求項３に係る照明バンドは、上記第１の目的を達成するため、細長帯状のバンド本体と、バンド本体の表面に所定間隔あけて配設された発光素子と、バンド本体に設けられ、各発光素子を接続する導電部とからなり、バンド本体の表面には、夜光部材が設けられていることを特徴とする。【００１０】
本願請求項４に係る照明バンドは、上記第１の目的を達成するため、前記バンド本体の裏面には、接着部が設けられていることを特徴とする。【００１１】
本願請求項５に係る照明バンドは、上記第１の目的を達成するため、前記バンド本体は、透過性を有する合成樹脂素材によって被覆されていることを特徴とする。【００１２】
本願請求項６に係る照明バンドは、上記第１の目的を達成するため、前記バンド本体の裏側の合成樹脂素材の表面には、接着部が設けられていることを特徴とする。【００１３】
本願請求項７に係る照明バンドは、上記第１の目的を達成するため、バンド本体は基板であって、基板の裏面には、基板の端縁から延出する大きさに形成された細長帯状の合成樹脂フィルムが設けられ、合成樹脂フィルムの表面には基板全体を被覆するように透過性を有する軟質合成樹脂素材によって成形されたカバー体が設けられていることを特徴とする。【００１４】
本願請求項８に係る照明バンドは、上記第１の目的を達成するため、合成樹脂フィルムの裏面には接着部が形成され、接着部には剥離紙が設けられていることを特徴とする。【００１５】
本願請求項９に係る照明バンドは、上記第２の目的を達成するため、前記バンド本体の表面又は裏面には、表裏方向に折曲し易くするための第１の折曲溝が形成されていることを特徴とする。【００１６】
本願請求項１０に係る照明バンドは、上記第２の目的を達成するため、前記バンド本体の短手方向両端には、短手方向に折曲し易くするための第２の折曲溝が形成されていることを特徴とする。【００１７】
本願請求項１１に係る照明バンドは、上記第２の目的を達成するため、前記バンド本体は、複数のバンド小片が連結されて構成され、長さを調節することが可能であり、各バンド小片には少なくとも一つの発光素子が設けられていることを特徴とする。【００１８】
本願請求項１２に係る照明バンドは、上記第２の目的を達成するため、前記バンド小片には、他のバンド小片に設けられた発光素子と異なる発光色の発光素子が設けられていることを特徴とする。【００１９】
本願請求項１３に係る照明装置は、上記第３の目的を達成するため、前記照明バンドと、この照明バンドのバンド本体の導電部を接続し、各発光素子に電気を供給するバッテリーボックスとからなることを特徴とする。【００２０】
本願請求項１４に係る照明装置は、上記第３の目的を達成するため、前記照明バンドが複数と、この複数の照明バンドのバンド本体の導電部を接続し、各発光素子に電気を供給するバッテリーボックスとからなることを特徴とする。【００２１】
本願請求項１５に係る照明装置は、上記第３の目的を達成するため、前記バンド本体の一端には導電部に接続された第１のコネクタが設けられ、バッテリーボックスは、先端に第２のコネクタが設けられた電気コードを有しており、バンド本体は、これの第１のコネクタをバッテリーボックスの第２のコネクタに連結することにより、バッテリーボックスに着脱可能に接続されることを特徴とする。【００２２】
本願請求項１６に係る照明装置は、上記第３の目的を達成するため、前記バッテリーボックスには、各発光素子を点滅させる制御回路が設けられていることを特徴とする。【００２３】
本願請求項１７に係る照明装置は、上記第３の目的を達成するため、前記バッテリーボックスには、各発光素子を点滅及び点灯させる制御回路と、各発光素子の点滅と点灯を切り替える切替式スイッチが設けられていることを特徴とする。【００２４】
本願請求項１８に係るヘルメットは、上記第４の目的を達成するため、前記照明装置を備えたヘルメットであって、バンド本体及びバッテリーボックスは、ヘルメット本体の表面に取り付けられていることを特徴とする。【００２５】
本願請求項１９に係るヘルメットは、上記第４の目的を達成するため、前記照明装置を備えたヘルメットであって、バンド本体は、ヘルメット本体の表面に取り付けられ、バッテリーボックスは、ヘルメット本体の裏面に設けられた緩衝部材に埋設されていることを特徴とする。
【発明の効果】
【００２６】
本願発明に係る照明バンドは、導電部を介して発光素子に通電すると、発光素子が点灯し、特に夜間に発光素子が点灯すると、この発光素子の光を受けてバンド本体の表面に設けられた蛍光部材又は反射部材が発光し、バンド本体の表面全体が明るくなるという効果がある。このように、本願発明に係る照明バンドは、発光素子の発光に、蛍光部材又は反射部材の発光が加わることにより、より一層明るくなり、第三者に自分の位置・存在を明確に知らせることができるという効果がある。また、本願発明に係る照明バンドは、発光素子が消灯しても、外部の光を受けてバンド本体の表面に設けられた蛍光部材又は反射部材が発光し、バンド本体の表面全体が明るくなるので、第三者に自分の位置・存在を知らせることができるという効果がある。【００２７】
本願発明に係る照明バンドは、上記効果に加え、発光部材が夜光（畜光）部材である場合、夜間に発光素子が点灯すると、この発光素子の光を受けてバンド本体の表面に設けられた夜光（畜光）部材が発光し、バンド本体の表面全体が明るくなり、より一層、第三者に自分の位置・存在を知らせることができることは同じであるが、発光素子の消灯時においても、所定時間、夜光（畜光）部材が発光しており、第三者に自分の位置・存在を知らせることができるという効果がある。【００２８】
本願発明に係る照明バンドは、上記効果に加え、バンド本体が透過性を有する合成樹脂素材によって被覆されているので、発光素子が点灯すると、合成樹脂素材内で発光素子を中心とした光の輪が形成される等、発光素子の光が乱反射して、合成樹脂素材全体が明るくなり、より一層第三者に自分の位置・存在を知らせることができるという効果がある。また、本願発明に係る照明バンドは、上記効果に加え、バンド本体が透過性を有する合成樹脂素材によって被覆されているので、発光素子、導電部が合成樹脂素材によって保護されることになり、雨、水滴、湿気等から上記電気部品を守り、さらに衝撃荷重を受けても上記電気部品を保護することができるという効果がある。本願発明に係る照明バンドは、接着部が設けられているので、被装着物に簡単に装着することができるという効果がある。【００２９】
本願発明に係る照明バンドは、上記効果に加え、バンド本体が基板であり、基板を合成樹脂フィルム上に載置し、基板をインサートするようにして、この合成樹脂フィルム上に透過性を有する軟質合成樹脂素材を成形することによって形成される。従って、本願発明に係る照明バンドは、基板が軟質合成樹脂素材によって形成されたカバー体で被覆されているので、発光素子、導電部等の電子部品が軟質合成樹脂素材によって保護されることになり、雨、水滴、湿気等から上記電子部品を守り、さらに衝撃荷重を受けても上記電子部品を保護することができるという効果がある。本願発明に係る照明バンドは、基板を合成樹脂フィルム上に載置し、基板をインサートするようにして、この合成樹脂フィルム上に透過性を有する軟質合成樹脂素材を成形するだけで製造することができるので、製造工程が簡易であり、安価に製造することができるという効果がある。【００３０】
また、照明バンドは、基板を表面と裏面から挟み込むようにしてインサート成形する方法も考えられる。しかし、この方法は、接合する２つの成形型の中央に基板を位置決めしなければならず、中央に浮かした状態で位置決めするためにピンで基板を押し上げておく必要がある。この場合、射出成形時に基板の位置がずれる可能性がある。また、成形後にピンを引き抜いた後の穴が残っており、外観を損なうと共にその穴を通して水分が入り込む可能性があり、水密性が確保されない。本願発明に係る照明バンドは、基板を合成樹脂フィルム上に接着剤等で固定して位置決めすることができるので、成形時に基板の位置がずれることがなく、正確な位置で製造することができるという効果がある。また、ピンで基板を押し上げておく必要がないので、成形後に残る、外観や機能を損なう穴が存在しないという効果がある。【００３１】
また、本願発明に係る照明バンドは、カバー体が湾曲成形されたとしても、合成樹脂フィルムが平面性を確保しているので、合成樹脂フィルムに広い接着面が確保され、合成樹脂フィルムに接着部を形成することができる。本願発明に係る照明バンドは、全体をフレキシブルに折り曲げることができるので、被装着物の装着面に合わせて折曲し、接着部によって、被装着物の所望する位置に簡単且つ強固に装着することができるという効果がある。さらにまた、本願発明に係る照明バンドは、発光素子が透過性を有する軟質合成樹脂素材によって被覆されているので、発光素子が点灯すると、カバー体内で発光素子を中心とした光の輪が形成される等、発光素子の光が乱反射して、カバー体全体が明るくなり、より一層第三者に自分の位置・存在を知らせることができるという効果がある。【００３２】
本願発明に係る照明バンドは、上記効果に加え、バンド本体の表面又は裏面に、表裏方向に折曲し易くするための第１の折曲溝が形成されているので、被装着物の装着面に合わせてバンド本体をフレキシブルに折り曲げることができ、バンド本体の裏面全体を確実に接着することができるという効果がある。【００３３】
本願発明に係る照明バンドは、上記効果に加え、バンド本体の短手方向両端には、短手方向に折曲し易くするための第２の折曲溝が形成されているので、被装着物の装着面に合わせてバンド本体をフレキシブルに折り曲げることができ、バンド本体の裏面全体を確実に接着することができるという効果がある。【００３４】
本願発明に係る照明バンドは、上記効果に加え、バンド本体を構成する複数のバンド小片の連結数を変化させて、バンド本体の長さを調節することができるので、被装着物の大きさに合わせて接着することができるという効果がある。【００３５】
また、本願発明に係る照明バンドは、上記効果に加え、各バンド小片の発光素子の発光色を変化させて、作業状況を第三者に知らせる信号としての機能を持たせることができるという効果がある。【００３６】
また、本願発明に係る照明装置は、上記効果を備えた照明バンドと、この照明バンドに電気を供給するバッテリーボックスとからなるので、どのような種類の被装着物にも取り付けることができ、長時間使用することができるという効果がある。【００３７】
また、本願発明に係る照明装置は、上記効果を備えた複数の照明バンドと、この複数の照明バンドに電気を供給するバッテリーボックスとからなるので、どのような種類の被装着物にも取り付けることができ、長時間使用することができると共に、複数の照明バンドを被装着物の各部に装着して、被装着物全体を明るくすることができるという効果がある。【００３８】
また、本願発明に係る照明装置は、上記効果を備えた複数の照明バンドと、この複数の照明バンドに電気を供給するバッテリーボックスとからなるので、どのような種類の被装着物にも取り付けることができ、長時間使用することができると共に、複数の照明バンドを被装着物の各部に装着して、被装着物全体を明るくすることができるという効果がある。【００３９】
また、本願発明に係る照明装置は、上記効果を備えた複数の照明バンドと、バッテリーボックスが第１と第２のコネクタによって連結されており、照明バンド又はバッテリーボックスを容易に交換することができるという効果がある。【００４０】
また、本願発明に係る照明装置は、バッテリーボックスに、各発光素子を点滅させる制御回路が設けられているので、各発光素子を点滅させることにより、より一層第三者に自分の位置・存在を知らせることができるという効果がある。特に夜間には、その効果は極めて大きい。【００４１】
また、本願発明に係る照明装置は、バッテリーボックスに、各発光素子を点滅及び点灯させる制御回路と、各発光素子の点滅と点灯を切り替える切替式スイッチが設けられているので、作業現場の状況に合わせて点灯状態を簡単且つ迅速に切り替えることができるという効果がある。【００４２】
また、本願発明に係るヘルメットは、ヘルメット本体に上記効果を備えた照明装置が取り付けられている。バンド本体は、ヘルメット本体の任意の位置に、その任意の位置の局面に合わせた形で折曲され、裏面全体が接着して取り付けられている。このように、本願発明に係るヘルメットは、工事状況に合わせて、照明バンドの取付位置が変えられて取り付けられるという効果がある。【００４３】
また、本願発明に係るヘルメットは、上記効果を備え、バッテリーボックスがヘルメット本体の裏面に設けられた緩衝部材に埋設されているので、バッテリーボックスがヘルメット本体の外部に突出しておらず、作業の邪魔にならないという効果がある。
【図面の簡単な説明】
【００４４】
【図１】本願発明に係る照明装置の一つの実施の形態を示す全体斜視図である。
【図２】図１（ａ）の要部側面断面図である。
【図３】照明バンドの連結片の斜視図である。
【図４】照明装置のコネクタの斜視図である。
【図５】照明バンドの他の実施の形態を示す側面断面図である。
【図６】本願発明に係る照明装置の他の実施の形態を示す説明図である。
【図７】図６の照明バンドの分解説明図である。
【図８】図６の照明装置の電気回路図である。
【図９】図６の照明バンドの機能説明図である。
【図１０】ヘルメットの説明図である。
【図１１】他の実施の形態を示すヘルメットの説明図である。
【図１２】他の実施の形態を示すヘルメットの説明図である。
【図１３】本願発明に係る照明装置の他の実施の形態を示す説明図である。
【図１４】図１３の照明バンドの全体斜視図である。
【図１５】図１４の照明バンドの分解斜視図である。
【図１６】図１５の電子基板の裏面図である。
【図１７】図１４の照明バンドの断面側面図である。
【図１８】図１７のＡ−Ａ断面図及びＢ−Ｂ断面図である。
【発明を実施するための最良の形態】
【００４５】
本願発明の実施の形態を図１乃至図１１に基づいて説明する。図１は、照明装置の全体斜視図であって、（ａ）が上方斜視図、（ｂ）が下方斜視図、（ｃ）が要部斜視図、（ｄ）が他の要部斜視図である。図２は、図１（ａ）の要部側面断面図である。図３は、照明バンドの連結片の斜視図である。図４は、照明装置のコネクタの斜視図である。図５は、照明バンドの他の実施の形態を示す側面断面図である。図６は、本願発明に係る照明装置の他の実施の形態を示す説明図であって、（ａ）が照明バンドの平面図、（ｂ）が照明バンドの側面図、（ｃ）がバッテリーボックスの説明図である。図７は、図６の照明バンドの分解説明図であって、（ａ）がバンド本体の平面図、（ｂ）がシールの平面図、（ｃ）がバンド本体の説明図である。図８は、図６の照明装置の電気回路図である。図９は、図６の照明バンドの機能説明図であって、（ａ）が平面図、（ｂ）が要部拡大側面図、（ｃ）が側面図である。図１０は、ヘルメットの説明図である。図１１，１２は、他の実施の形態を示すヘルメットの説明図である。【００４６】
図１に示すように、照明バンド１は、細長帯状のバンド本体２と、バンド本体２の表面２ａに所定間隔あけて配設された発光素子１１と、バンド本体２に設けられ、各発光素子１１を接続する導電部とからなる。図７にも示すように、導電部は、導電線１２でも導電帯３３，３４であっても構わない。バンド本体２の表面２ａには、蛍光部材、反射部材又は夜光（蓄光）部材が設けられている。当該蛍光部材、反射部材又は夜光（蓄光）部材の発光部材は、蛍光塗料、反射塗料又は夜光（畜光）塗料であってもよく、又は蛍光シール、反射シール又は夜光（畜光）シールであっても良い。【００４７】
照明バンド１は、導電部（導電線１２）を介して発光素子１１に通電すると、発光素子１１が点灯し、夜間に発光素子１１が点灯すると、この発光素子１１の光を受けてバンド本体２の表面２ａに設けられた蛍光部材又は反射部材が発光し、バンド本体２の表面２ａ全体が明るくなり、より一層、第三者に自分の位置・存在を知らせることができる。また、照明バンド１は、発光素子１１が消灯しても、外部の光を受けてバンド本体２の表面２ａに設けられた蛍光部材又は反射部材が発光し、バンド本体２の表面２ａ全体が明るくなり、第三者に自分の位置・存在を知らせることができる。【００４８】
また、照明バンド１は、発光部材が夜光（畜光）部材である場合、夜間に発光素子１１が点灯すると、この発光素子１１の光を受けてバンド本体２の表面２ａに設けられた夜光（畜光）部材が発光し、バンド本体２の表面２ａ全体が明るくなり、より一層、第三者に自分の位置・存在を知らせることができる。また、照明バンド１は、発光素子１１の消灯時においても、所定時間、夜光（畜光）部材が発光しており、第三者に自分の位置・存在を知らせることができる。【００４９】
図６に示すように、照明バンド３１は、バンド本体３２が透過性を有する合成樹脂素材３７によって被覆されているので、発光素子１３が点灯すると、合成樹脂素材３７内で発光素子１３を中心とした光の輪が形成される等、発光素子１３の光が乱反射して、合成樹脂素材３７全体が明るくなり、より一層第三者に自分の位置・存在を知らせることができる。また、照明バンド３１は、バンド本体３２が透過性を有する合成樹脂素材３７によって被覆されているので、発光素子１３、導電部３３，３４が合成樹脂素材３７によって保護されることになり、雨、水滴、湿気等から上記電気部品を守り、さらに衝撃荷重を受けても上記電気部品を保護することができる。【００５０】
照明バンド１，３１は、バンド本体２，３２の裏面２ｂ、３２ｂに接着部が設けられていると、接着部を介して被装着物（例えば、ヘルメット）７１に簡単に装着することができるが、図１２に示すように、被装着物７１に取り付けられたループ８１又はＬ字状の係止片８２，８２に挿通して装着しても構わない。照明バンド１，３１は、導電部１２，３３，３４を介して発光素子１１，１３に通電すると、発光素子１１，１３が点灯し、第三者に自分の存在・位置を知らせることは勿論であるが、手元を明るくする照明器具としても利用可能である。【００５１】
照明バンド１は、前記バンド本体２の表面２ａ又は裏面２ｂに、表裏方向に折曲し易くするための第１の折曲溝７が形成されている。従って、照明バンド１は、被装着物（例えば、ヘルメット）の装着面（曲面）に合わせてバンド本体２をフレキシブルに折り曲げることができ、バンド本体２の裏面２ｂ全体を確実に接着することができる。照明バンド１は、前記バンド本体２の短手方向両端に、短手方向に折曲し易くするための第２の折曲溝８が形成されている。従って、照明バンド１は、被装着物の装着面に合わせてバンド本体２をフレキシブルに折り曲げることができ、バンド本体２の裏面２ｂ全体を確実に接着することができる。【００５２】
図３に示すように、照明バンド１のバンド本体２は、複数のバンド小片２１が連結されて構成され、長さを調節することが可能である。即ち、照明バンド１は、バンド本体２を構成する複数のバンド小片２１の連結数を変化させて、バンド本体２の長さを調節することができるので、被装着物の大きさに合わせて接着することができる。【００５３】
各バンド小片２１には、少なくとも一つの発光素子１１が設けられている。照明バンド１は、バンド小片２１に、他のバンド小片２１に設けられた発光素子１１と異なる発光色の発光素子１１を設けても良い。このようにすると、照明バンド１は、各バンド小片２１の発光素子１１の発光色を変化させて、作業状況を第三者に知らせる信号としての機能を持つことになる。【００５４】
図４に示すように、照明装置５０は、照明バンド１が複数と、この複数の照明バンド１のバンド本体２の導電線１２を接続し、各発光素子１１に電気を供給するバッテリーボックス５１とからなる。照明装置５０は、どのような種類の被装着物にも取り付けることができ、長時間使用することができると共に、複数の照明バンド１を被装着物の各部に装着して、被装着物全体を明るくすることができる。【００５５】
照明装置５０は、前記バンド本体２の一端に導電線１２に接続された第１のコネクタ５３が設けられている。バッテリーボックス５１は、先端に第２のコネクタ５５が設けられた電気コード５６を有する。バンド本体２は、これの第１のコネクタ５３をバッテリーボックス５１の第２のコネクタ５５に連結することにより、バッテリーボックス５１に着脱可能に接続される。このように、照明装置５０は、複数の照明バンド１と、バッテリーボックス５１が第１と第２のコネクタ５３、５５によって連結されており、照明バンド１又はバッテリーボックス５１を容易に交換することができる。【００５６】
図１０に示すように、ヘルメット７１は、前記照明装置５０を備えたヘルメットである。バッテリーボックス５１には、接着部５１ａが設けられている。バンド本体２及びバッテリーボックス５１は、ヘルメット本体７２の表面に接着部２ｂ，５１ａを介して取り付けられている。バンド本体２は、ヘルメット本体７２の任意の位置に、その任意の位置の曲面に合わせた形で折曲され、裏面２ｂ全体が接着して取り付けられている。このように、ヘルメット７１は、工事状況に合わせて、照明バンド１の取付位置が変えられて取り付けられる。なお、図１１に示すように、バッテリーボックス５１は、ヘルメット本体７２の裏面に設けられた緩衝部材７３に埋設されてもよい。ヘルメット７１は、バッテリーボックス５１がヘルメット本体７２の裏面に設けられた緩衝部材７３に埋設されているので、バッテリーボックス５１がヘルメット本体７２の外部に突出しておらず、作業の邪魔にならない。【００５７】
さらに、照明バンド１について詳細に説明する。図１に示すように、バンド本体２は、軟質合成樹脂素材によって細長帯状に形成されている。バンド本体２の短手方向の略中心には、長手方向に向かって所定間隔あけて取付孔３が形成されている。バンド本体２の表面２ａには、蛍光塗料、反射塗料又は夜光（畜光）塗料が塗布されている。また、バンド本体２の裏面２ｂには、接着材が設けられている。なお、接着材は、両面接着テープであっても良い。【００５８】
バンド本体２の前記取付孔３には、ＬＥＤ（発光素子）１１が嵌挿されて固定されている。ＬＥＤ（発光素子）１１は、発光部１１ａがバンド本体２の表面２ａから突出し、リード線１１ｂがバンド本体２の裏面２ｂ側から突出する。リード線１１ｂがバンド本体２の裏面２ｂから突出しないように、バンド本体２の裏面２ｂには、前記取付孔３を結ぶ案内溝５が形成されている。なお、前記ＬＥＤ（発光素子）１１のリード線１１ｂは、図１（ｃ）に示すように、導電線１２に直列的に接続しても構わないが、望ましくは、図１（ｄ）に示すように、導電線１２に並列的に接続した方が良い。一つのＬＥＤ（発光素子）１１が切れたとしても、他のＬＥＤ（発光素子）１１に影響を与えないからである。導電線１２は、前記案内溝５に挿通され、バンド本体２の裏面２ｂから突出しないようになっている。なお、バンド本体２は、図５に示すように、ＬＥＤ（発光素子）１１と、リード線１１ｂ及び導電線１２を合成樹脂素材１９によってインサート成形して構成してもよい。【００５９】
導電線１２は、バッテリーボックス５１に連結されている。バッテリーボックス５１には、オン・オフするためのスイッチ５２が設けられている。バッテリーボックス５１のスイッチ５２は、通常オフとなっており、各ＬＥＤ（発光素子）１１に電気が供給されていない。スイッチ５２は、オンされると、バッテリーボックス５１の電気が各ＬＥＤ（発光素子）１１に供給され、各ＬＥＤ（発光素子）１１が点灯する。なお、バッテリーボックス５１に制御回路を組み込み、各ＬＥＤ（発光素子）１１を点滅させたり、所定時間のみ点灯させたりすることも可能である。このバッテリーボックス５１と照明バンド１によって照明装置５０が構成される。【００６０】
図４に示すように、バッテリーボックス５１と照明バンド１は、コネクタによって着脱可能に連結されるようにしても構わない。バンド本体２の一端には導電線１２に接続された第１のコネクタ５３が設けられている。バッテリーボックス５１は、先端に第２のコネクタ５５が設けられた電気コード５６を有している。なお、本実施の形態では、バッテリーボックス５１に一対の第２のコネクタ５５が設けられている。バッテリボックス５１とコネクタは、照明バンド１が雨中で使用される場合があるので、防水性であることが望ましい。【００６１】
第１のコネクタ５３は、一対の導電ピン５７，５８を備えており、導電ピン５７，５８は、導電線１２に接続されている。第２のコネクタ５５は、一対の導電ピン穴５９，６０を備えており、導電ピン穴５９，６０は、電気コード５６に接続されている。【００６２】
バンド本体２は、これの第１のコネクタ５３の一対の導電ピン５７，５８をバッテリーボックス５１の第２のコネクタ５５の導電ピン穴５９，６０に差し込むことにより、バッテリーボックス５１に連結され、バッテリーボックス５１に着脱可能に接続される。このように、バッテリーボックス５１と、これに連結された一対の照明バンド１，１によって照明装置５０が形成される。【００６３】
図１に示すように、バンド本体２の表面２ａ又は裏面２ｂには、断面略Ｖ字状の折曲溝７が短手方向に向かって形成されている。折曲溝７は、長手方向に向かって所定間隔あけて設けられ、バンド本体２の長手方向両端を表面２ａ側及び裏面２ｂ側に折れ曲げ易くしている。同様に、断面略Ｖ字状に形成された前記案内溝５は、バンド本体２の短手方向両端を表面２ａ側及び裏面２ｂ側に折れ曲げ易くしている。バンド本体２の短手方向両端には、略Ｖ字状の折曲溝８が形成されている。折曲溝８は、長手方向に向かって所定間隔あけて設けられ、バンド本体２の長手方向両端を短手方向に折れ曲げ易くしている。【００６４】
図３に示すように、バンド本体２を、複数のバンド小片２１が連結されて構成されようにしても構わない。バンド小片２１には、少なくとも一つの発光素子（ＬＥＤ）１１が設けられており、両端に雄連結片２２と雌連結片２６が取り付けられている。雄連結片２２は、一対の導電ピン２３，２４を備えており、導電ピン２３，２４は、導電線１２に接続されている。雌連結片２６は、一対の導電ピン穴２７，２８を備えており、導電ピン穴２７，２８は、導電線１２に接続されている。【００６５】
バンド小片２１は、雄連結片２２の一対の導電ピン２３，２４を他のバンド小片２１の雌連結片２６の一対の導電ピン穴２７，２８に差し込むことにより、他のバンド小片２１に連結される。バンド本体２は、接続するバンド小片２１の数によって長さを調節することができる。また、バンド小片２１の最終端には、端末片１５が連結される。端末片１５は、一対の導電ピン１６，１７を備えており、導電ピン１６，１７は、導電線１８によって接続されている。端末片１５は、一対の導電ピン１６，１７をバンド小片２１の最終端に位置する導電ピン穴２７，２８に差し込むことにより、閉回路を構成する。【００６６】
なお、各バンド小片２１に取り付けられる発光素子（ＬＥＤ）１１の発光色を変え、発光させる色を変化させることにより、作業状態を知らしめることも可能となる。この複数のバンド小片２１からなるバンド本体２は、雄連結片２２の一対の導電ピン２３，２４をバッテリーボックス５１の第２のコネクタ５５の導電ピン穴５９，６０に差し込むことにより、バッテリーボックス５１に連結され、バッテリーボックス５１に着脱可能に接続される。【００６７】
さらに、照明バンド３１について詳細に説明する。図６に示すように、バンド本体３２は、軟質合成樹脂素材によって細長帯状に形成されている。バンド本体３２の短手方向の略中心には、長手方向に向かって所定間隔あけて略矩形状のＬＥＤ（発光素子）１３が配置されている。当該ＬＥＤ（発光素子）１３は、バンド本体３２の表面３２ａに接着材等によって貼着されているが、取り付け方は特に貼着に限定されるものではなく、種々変更可能である。図７に示すように、バンド本体３２の表面３２ａには、前記ＬＥＤ（発光素子）１３が内側に位置するようにして、一対の導電帯３３，３４が長手方向に向かって略平行に形成されている。この一対の導電帯３３，３４は、極薄の金属板によって形成されている。前記各ＬＥＤ（発光素子）１３は、この一対の導電帯３３，３４に抵抗板１３ｂを介して並列に接続されている。【００６８】
バンド本体３２の表面３２ａには、蛍光塗料、反射塗料又は夜光（畜光）塗料がコーティングされたシール３５が貼着されている。シール３５の所定箇所には、前記ＬＥＤ（発光素子）１３を挿通させる挿通孔３６が形成され、前記ＬＥＤ（発光素子）１３の発光部１３ａが挿通孔３６から突出している。【００６９】
導電帯３３，３４は、バッテリーボックス５１に連結されている。バッテリーボックス５１は、内部に電池５４が収納され、オン・オフするためのスイッチ５２が設けられている。バッテリーボックス５１は、電気コード５６を有し、前記コード５６の先端が前記導電帯３３，３４の基部３３ａ，３４ａに接続されている。この導電帯３３，３４と電気コード５６の接続部は、軟質合成樹脂によって形成された接着部材３８によって外れないように固定されているが、半田付けのみで固定しても構わない。【００７０】
バンド本体３２は、透過性を有する合成樹脂素材３７によって被覆されている。合成樹脂素材３７は、ポリオレフィン等の熱収縮性チューブである。当該熱収縮性チューブ３７は、内部にバンド本体３２を挿通してから加熱されることによって、接着部材３８を含むバンド本体３２全体に密着する。なお、このバンド本体３２に密着させた熱収縮性チューブ３７の先端（前記接着部材３８とは反対側の端部）は、軟質合成樹脂によって形成されたキャップ３９によって塞がれている。バンド本体３２の裏面３２ｂ側であって、前記熱収縮性チューブ３７の表面には、接着材４１が設けられている。なお、接着材４１は、両面接着テープであっても良い。【００７１】
バッテリーボックス５１のスイッチ５２は、通常オフとなっており、各ＬＥＤ（発光素子）１３に電気が供給されていない。スイッチ５２は、オンされると、バッテリーボックス５１の電気が各ＬＥＤ（発光素子）１３に供給され、各ＬＥＤ（発光素子）１３が点灯する。なお、バッテリーボックス５１に制御回路を組み込み、各ＬＥＤ（発光素子）１３を点滅させたり、所定時間のみ点灯させたりすることも可能である。このバッテリーボックス５１と少なくとも一つの照明バンド３１によって照明装置５０Ａが構成される。【００７２】
図９に示すように、照明バンド３１は、導電帯３３，３４を介して発光素子１３に通電すると、発光素子１３が点灯し、この発光素子１３の光を受けてバンド本体２の表面２ａに設けられたシール３５の蛍光塗料、反射塗料又は夜光（蓄光）塗料が発光し、バンド本体３２の表面３２ａ全体が明るくなる。さらに、バンド本体３２が透過性を有する熱収縮性チューブ３７によって被覆されているので、発光素子１３が点灯すると、合成樹脂素材３７内で光が拡散して発光素子１３を中心とした光の輪４２が形成される。なお、熱収縮性チューブ３７が設けられていない場合は、図面上一番右側の発光素子１３のように、光の範囲４３が若干狭くなる。この光の輪４２を受けてさらにシール３５の蛍光塗料、反射塗料又は夜光（畜光）塗料が発光し、さらにバンド本体３２の表面３２ａ全体が明るくなる。【００７３】
また、発光素子１３の光が熱収縮性チューブ３７内で乱反射を行い、熱収縮性チューブ３７自体も明るくなる。さらに、前記シール３５はバンド本体３２の表面３２ａに貼着されるが、表面３２ａには抵抗板１３ｂが存在するため、凹凸ができる。このシール３５の凹凸により、反射する光の向きが一定ではなく、拡散され、より一層明るくなる。このように、照明バンド３１は、発光素子（ＬＥＤ）１３の部分のみならず、バンド本体３２全体が明るくなるので、視認性が高まり、確実に第三者に自分の位置・存在を知らせることができる。【００７４】
照明バンド１０１について、図１３乃至図１８に基づいて詳細に説明する。図１３は、本願発明に係る照明装置の他の実施の形態を示す説明図であって、（ａ）が平面図、（ｂ）が側面図、（ｃ）が正面図である。図１４は、図１３の照明バンドの全体斜視図である。図１５は、図１４の照明バンドの分解斜視図である。図１６は、図１５の電子基板の裏面図である。図１７は、図１４の照明バンドの断面側面図である。図１８は、図１７の断面図であって、（ａ）がＡ−Ａ断面図、（ｂ）がＢ−Ｂ断面図である。【００７５】
照明バンド１０１の概要を、図１５に基づいて説明する。上記したバンド本体は基板１０２である。基板１０２の裏面１０２ｂには、基板１０２の端縁から延出する大きさに形成された細長帯状の合成樹脂フィルム１２０が設けられている。合成樹脂フィルム１２０の表面１２０ａには基板１０２全体を被覆するように透過性を有する軟質合成樹脂素材によって成形されたカバー体１２５が設けられている。合成樹脂フィルム１２０の裏面１２０ｂには接着部１２６が形成され、接着部１２６には剥離紙１２７が設けられている。【００７６】
さらに、照明バンド１０１について詳細に説明する。図１５に示すように、バンド本体１０２は、軟質合成樹脂素材によって極薄の細長帯状に形成された電子基板であり、フレキシブルに折曲可能である。電子基板１０２の短手方向の略中心には、長手方向に向かって所定間隔あけて略矩形状のＬＥＤ（発光素子）１０３が配置されている。当該ＬＥＤ（発光素子）１０３は、電子基板１０２の表面１０２ａに接着材等によって貼着されているが、取り付け方は特に貼着に限定されるものではなく、半田付け等、種々変更可能である。また、電子基板１０２の短手方向の略中心であって、各ＬＥＤ（発光素子）１０３の近傍には、抵抗１０４が配置されている。【００７７】
図１６に示すように、電子基板１０２の裏面１０２ｂには、前記ＬＥＤ（発光素子）１０３及び抵抗１０４が内側に位置するようにして、一対の導電帯１０６，１０７が長手方向に向かって略平行に形成されている。この一対の導電帯１０６，１０７は、極薄の金属板によって形成されている。前記各ＬＥＤ（発光素子）１０３は、この一対の導電帯１０６，１０７に抵抗１０４を介して並列に接続されている。【００７８】
電子基板１０２の表面１０２ａには、図１４，１５に示すように、蛍光塗料、反射塗料又は夜光（畜光）塗料がコーティングされたシール１１０が貼着されている。シール１１０の所定箇所には、前記ＬＥＤ（発光素子）１０３及び抵抗１０４を挿通させる挿通孔１１１，１１２が形成され、前記ＬＥＤ（発光素子）１０３が挿通孔１１１から突出し、前記抵抗１０４が挿通孔１１２から突出している。なお、電子基板１０２の表面１０２ａに、蛍光塗料、反射塗料又は夜光（畜光）塗料を直接的に塗布しても構わない。【００７９】
電子基板１０２の裏面１０２ｂには、両面テープ１１５を介して合成樹脂フィルム１２０が設けられている。合成樹脂フィルム１２０は、極薄で透明な素材、例えば、ポリエステルフィルム等の、強靱性、電気絶縁性、耐熱性、耐薬品性等に優れた素材であることが望ましい。両面テープ１１５は、合成樹脂フィルム１２０を電子基板１０２の裏面１０２ｂに取り付けるために使用するので、電子基板１０２の裏面１０２ｂと同じサイズで形成されていることが望ましい。また、両面テープ１１５は、合成樹脂フィルム１２０を電子基板１０２の裏面１０２ｂに接着材で直接取り付ける場合には、不要となる。【００８０】
合成樹脂フィルム１２０は、電子基板１０２と同様に細長帯状に形成されているが、電子基板１０２の裏面１０２ｂより大きく形成されており、電子基板１０２の裏面１０２ｂに貼着された時、電子基板１０２の裏面１０２ｂの端縁から延出するようになっている。合成樹脂フィルム１２０の表面１２０ａには、電子基板１０２全体を被覆するようにして透過性を有する軟質合成樹脂素材によって成形された透明なカバー体１２５が設けられている。この軟質合成樹脂素材は、電子基板１０２をインサート成形するので、融点の低いウレタン樹脂が望ましい。ウレタン樹脂は、柔軟性、耐薬品性、防水性に優れている。【００８１】
図１７，１８に示すように、軟質合成樹脂素材１２５は、流動状態（液化状態）で合成樹脂フィルム１２０上に垂らしていくと、表面張力により円弧状に湾曲した形状となって固化して溶着し、合成樹脂フィルム１２０上にカバー体１２５を形成する。軟質合成樹脂素材がウレタン樹脂であり、合成樹脂フィルム１２０がポリエステルフィルムであることが望ましく、また成形型を必要とせずに成形できるので、製造工程が簡略化でき、安価に製造することができる。上記したように電子基板１０２は、カバー体１２５内にインサートされているので、電子基板１０２、ＬＥＤ（発光素子）１０３及び抵抗１０４が完全に覆われて動かないように固定される。【００８２】
合成樹脂フィルム１２０の裏面１２０ｂには、両面接着テープ１２６の上面１２６ａが貼着されている。両面接着テープ１２６の下面１２６ｂには、剥離紙１２７が設けられている。なお、合成樹脂フィルム１２０の裏面１２０ｂに直接接着部を形成し、この接着部に剥離紙１２７を設けても構わない。【００８３】
前記導電帯１０６，１０７は、バッテリーボックス１３１に連結されている。図１３に示すように、バッテリーボックス１３１は、上ケース１３１ａと下ケース１３１ｂとからなり、上ケース１３１ａと下ケース１３１ｂがパッキン等を介して水密に接合されてネジ等により固定されて形成され、防水性が確保されている。バッテリーボックス１３１は、箱状に形成され、上面１３５と、下面１３６と、前面１３７と、後面１３８と、右面１３９と、左面１４０を有し、内部に電池が収納され、オン・オフするためのスイッチ１３２が上面１３５に設けられている。バッテリーボックス１３１の下面１３６は、緩やかに湾曲した湾曲凹部となっており、ヘルメット７１の湾曲した外側面に面接触するようになっている。【００８４】
バッテリーボックス１３１は、右面１３９と左面１４０に電気コード１３３，１３３が設けられ、前記電気コード１３３の先端が前記導電帯１０６，１０７の基部１０６ａ，１０７ａに接続されている。この導電帯１０６，１０７の基部１０６ａ，１０７ａと電気コード１３３の接続は、半田付けで行われているが、軟質合成樹脂によって形成された接着部によって外れないように固定しても構わない。また、図１７に示すように、電気コード１３３の先端部１３４は、シール１１０に覆われ、軟質合成樹脂素材１２５によって被覆されているが、被覆されないようにしても構わない。【００８５】
バッテリーボックス１３１のスイッチ１３２は、通常オフとなっており、各ＬＥＤ（発光素子）１０３に電気が供給されていない。スイッチ１３２は、オンされると、バッテリーボックス１３１の電気が各ＬＥＤ（発光素子）１０３に供給され、各ＬＥＤ（発光素子）１０３が点灯する。なお、バッテリーボックス１３１に制御回路を組み込み、各ＬＥＤ（発光素子）１０３を点滅させたり、所定時間のみ点灯させたりすることも可能である。また、バッテリボックス１３１に切替式スイッチを形成し、各ＬＥＤ（発光素子）１０３の点灯と点滅を簡単に切り替えできる構成にしても良い。このバッテリーボックス１３１と少なくとも一つの照明バンド１０１によって照明装置５０Ｂが構成される。【００８６】
照明装置５０Ｂは、バッテリーボックス１３１に、各発光素子１０３を点滅させる制御回路が設けられているので、各発光素子１０３を点滅させることにより、より一層第三者に自分の位置・存在を知らせることができる。特に夜間には、その効果は極めて大きい。また、照明装置５０Ｂは、バッテリーボックス１３１に、各発光素子１０３を点滅及び点灯させる制御回路と、各発光素子１３０の点滅と点灯を切り替える切替式スイッチが設けられているので、作業現場の状況に合わせて点灯状態を簡単且つ迅速に切り替えることができる。【００８７】
図１３に示すように、照明バンド１０１は、導電帯１０６，１０７を介して発光素子１０３に通電すると、発光素子１０３が点灯し、この発光素子１０３の光を受けて電子基板１０２の表面１０２ａに設けられたシール１１０等の蛍光塗料、反射塗料又は夜光（蓄光）塗料が発光し、電子基板１０２の表面１０２ａ全体が明るくなる。さらに、電子基板１０２が透過性を有する軟質合成樹脂素材１２５によって被覆されているので、発光素子１０３が点灯すると、軟質合成樹脂素材１２５内で光が拡散して発光素子１０３を中心とした光の輪が形成される。この光の輪を受けてさらにシール１１０の蛍光塗料、反射塗料又は夜光（畜光）塗料が発光し、さらに電子基板１０２の表面１０２ａ全体が明るくなる。【００８８】
また、発光素子１０３の光が軟質合成樹脂素材（カバー体）１２５内で乱反射を行い、軟質合成樹脂素材（カバー体）１２５自体も明るくなる。このように、照明バンド１０１は、発光素子（ＬＥＤ）１０３の部分のみならず、照明バンド１０１全体が明るくなるので、視認性が高まり、確実に第三者に自分の位置・存在を知らせることができる。【００８９】
照明バンド１０１は、電子基板１０２を合成樹脂フィルム１２０上に載置し、電子基板１０２をインサートするようにして、この合成樹脂フィルム１２０上に透過性を有する軟質合成樹脂素材１２５を成形することによって形成される。従って、照明バンド１０１は、電子基板１０２が軟質合成樹脂素材によって形成されたカバー体１２５で被覆されているので、発光素子１０３、抵抗１０４、導電帯１０６，１０７等の電子部品が軟質合成樹脂素材１２５によって保護されることになり、雨、水滴、湿気等から上記電子部品を守り、さらに衝撃荷重を受けても上記電子部品を保護することができる。照明バンド１０１は、電子基板１０２を合成樹脂フィルム１２０上に載置し、電子基板１０２をインサートするようにして、この合成樹脂フィルム１２０上に透過性を有する軟質合成樹脂素材１２５を成形するだけで製造することができるので、製造工程が簡易であり、安価に製造することができる。【００９０】
また、照明バンド１０１は、電子基板１０２を表面１０２ａと裏面１０２ｂから挟み込むようにしてインサート成形する方法も考えられる。しかし、この方法は、接合する２つの成形型の中央に電子基板１０２を位置決めしなければならず、中央に浮かした状態で位置決めするためにピンで電子基板１０２を押し上げておく必要がある。この場合、射出成形時に電子基板１０２の位置がずれる可能性がある。また、成形後にピンを引き抜いた後の穴が残っており、外観を損なうと共にその穴を通して水分が入り込む可能性があり、水密性が確保されない。照明バンド１０１は、電子基板１０２を合成樹脂フィルム１２０上に接着剤、両面テープ等で固定して位置決めすることができるので、成形時に電子基板１０２の位置がずれることがなく、正確な位置で製造することができる。また、ピンで電子基板１０２を押し上げておく必要がないので、成形後に残る、外観や機能を損なう穴が存在しない。【００９１】
照明バンド１０１は、カバー体１２５が湾曲（曲面）成形されるが、合成樹脂フィルム１２０が平面性を確保しているので、合成樹脂フィルム１２０に広い接着面が確保され、合成樹脂フィルム１２０に両面接着テープ（接着部）１２６を設けることができる。照明バンド１０１は、全体をフレキシブルに折り曲げることができるので、ヘルメット７１等の被装着物の装着面（曲面）に合わせて折曲し、両面接着テープ（接着部）１２６によって、被装着物の所望する位置に簡単且つ強固に装着することができる。さらにまた、照明バンド１０１は、発光素子１０３が透過性を有する軟質合成樹脂素材によって被覆されているので、発光素子１０３が点灯すると、カバー体１２５内で発光素子１０３を中心とした光の輪が形成される等、発光素子１０３の光が乱反射して、カバー体１２５全体が明るくなり、より一層第三者に自分の位置・存在を知らせることができる。【００９２】
図１０に示すように、前記照明装置５０，５０Ａ，５０Ｂは、ヘルメット７１に取り付けられる。バッテリーボックス５１，１３１は、ヘルメット本体７２の後部に接着材５１ａ等によって固定される。特にバッテリーボックス１３１は、下面（装着面）１３６が緩やかに湾曲した湾曲凹部となっており、下面（装着面）１３６がヘルメット本体７２の外側面に面接触するので強固に固定される。なお、バッテリーボックス１３１は、下面（装着面）１３６とヘルメット本体７２の外側面との間に柔軟マット（弾性板）を介在させると、より安定した接着を行うことができる。前記一対の照明バンド１，１、３１，３１、１０１，１０１は、接着部２ｂ，２ｂ、４１，４１、１２６，１２６によってヘルメット本体７２の表面に逆Ｖ字状に接着される。なお、図１１に示すように、バッテリーボックス５１は、ヘルメット本体７２の裏面に設けられた発泡スチロール等の緩衝部材７３に形成された凹部７５内に配設しても構わないのは勿論である。【００９３】
照明バンド１，１、３１，３１、１０１，１０１は、ヘルメット本体７２の全高Ｈに対して取り付け範囲を以下のように限定する。
（１）ヘルメット本体頭頂部から「Ｈ×２／１５」の範囲には、照明バンド１，１、３１，３１、１０１，１０１を設けない。
（２）ヘルメット本体下部から「Ｈ×２／３」の範囲には、照明バンド１，１、３１，３１、１０１，１０１を設けない。
（３）照明バンド１，１、３１，３１、１０１，１０１の前部１ａは、耳掛け紐７９の前側取付部７６より前方に配置する。
（４）照明バンド１，１、３１，３１、１０１，１０１の後部１ｂは、耳掛け紐７９の後側取付部７７より前方に配置する。
（５）照明バンド１，１、３１，３１、１０１，１０１の前部１ａが後部１ｂより上部となるように配置する。
（６）ヘルメット本体７２を前方から見た時の発光素子（ＬＥＤ）１１、１３、１０３の数と、ヘルメット本体７２を後方から見た時の発光素子（ＬＥＤ）１１、１３、１０３の数が、略同じとなるように配置する。【００９４】
ヘルメットは、障害物や転倒時にぶっつけやすい部位がある。上記ヘルメット７１は、高さ方向において、照明バンド１、３１、１０１がぶつかり難い位置にあり、且第三者から見えやすい位置に設けられ、第三者に作業者の位置・存在を知らしめることが容易となる。また、ヘルメットは、通常、前部に会社のマークＭが印刷されているが、上記ヘルメット７１は、照明バンド１，１、３１，３１、１０１，１０１が会社のマークＭを覆うことがない。ヘルメット７１は、ヘルメット本体７２に何ら加工を施すことなく、照明装置５０，５０Ａ，５０Ｂを装着することができるので、ヘルメット本体７２の強度等の安全性を損なうことがなく、また照明バンド１、３１、１０１が上記したようにフレキシブルに折曲するので、どのようなタイプのヘルメットにも対応することができる。【００９５】
上記実施の形態では、照明バンド１、３１、１０１に電気を供給手段としてバッテリボックス５１，１３１で説明した。このバッテリボックス５１，１３１は、内部に交換可能な電池が設けられているが、充電式電池であっても良い。また、他の実施の形態として、ヘルメット本体７２の所定位置にソーラーパネルを設け、バッテリーボックス５１，１３１内に充電式電池を取り付け、太陽光をソーラーパネルで電気に変換してバッテリーボックス５１，１３１内の充電式電池に充電できるようにしても良い。このようにすることにより、電池交換及び電池廃棄が不要となるので、利便性が向上し、環境に優しい構成となる。
【産業上の利用可能性】
【００９６】
本願発明に係る照明バンド、照明装置は、衣服、鞄、自転車、ヘルメット等に利用可能である。
【符号の説明】
【００９７】
Ｍ  会社のマーク
１  照明バンド
１ａ  前部
１ｂ  後部
２  バンド本体
２ａ  表面
２ｂ  裏面（接着部）
３  取付孔
５  案内溝
７  折曲溝（第１の折曲溝）
８  折曲溝（第２の折曲溝）
１１  発光素子（ＬＥＤ）
１１ａ  発光部
１１ｂ  リード線
１２  導電線
１３  発光素子（ＬＥＤ）
１３ａ  発光部
１３ｂ  抵抗板
１５  端末片
１６  導電ピン
１７  導電ピン
１８  導電線
１９  合成樹脂素材
２１  バンド小片
２２  雄連結片
２３  導電ピン
２４  導電ピン
２６  雌連結片
２７  導電ピン穴
２８  導電ピン穴
３１  照明バンド
３２  バンド本体
３２ａ  表面
３２ｂ  裏面
３３  導電帯（導電部）
３３ａ  基部
３４  導電帯（導電部）
３４ａ  基部
３５  シール
３６  挿通孔
３７  合成樹脂素材（熱収縮性チューブ）
３８  接着部材
３９  キャップ
４１  接着材
４２  光の輪
４３  光の範囲
５０  照明装置
５０Ａ  照明装置
５０Ｂ  照明装置
５１  バッテリーボックス
５１ａ  接着部
５２  スイッチ
５３  第１のコネクタ
５４  電池
５５  第２のコネクタ
５６  電気コード
５７  導電ピン
５８  導電ピン
５９  導電ピン穴
６０  導電ピン穴
７１  ヘルメット
７２  ヘルメット本体
７３  緩衝部材
７５  凹部
７６  前側取付部
７７  後側取付部
７９  耳掛け紐
８１  ループ
８２  係止片
１０１  照明バンド
１０２  電子基板（バンド本体）
１０２ａ  表面
１０２ｂ  裏面
１０３  ＬＥＤ（発光素子）
１０４  抵抗
１０６  導電帯
１０６ａ  基部
１０７  導電帯
１０７  基部
１１０  シール
１１１  挿通孔
１１２  挿通孔
１１５  両面テープ
１２０  合成樹脂フィルム
１２０ａ  表面
１２０ｂ  裏面
１２５  軟質合成樹脂素材（カバー体）
１２６  両面接着テープ（接着部）
１２６ａ  上面
１２６ｂ  下面
１２７  剥離紙
１３１  バッテリーボックス
１３１ａ  上ケース
１３１ｂ  下ケース
１３２  スイッチ
１３３  電気コード
１３４  先端部
１３５  上面
１３６  下面
１３７  前面
１３８  後面
１３９  右面
１４０  左面
【図１】
2010013716.tif 000003
【図２】
2010013716.tif 000004
【図３】
2010013716.tif 000005
【図４】
2010013716.tif 000006
【図５】
2010013716.tif 000007
【図６】
2010013716.tif 000008
【図７】
2010013716.tif 000009
【図８】
2010013716.tif 000010
【図９】
2010013716.tif 000011
【図１０】
2010013716.tif 000012
【図１１】
2010013716.tif 000013
【図１２】
2010013716.tif 000014
【図１３】
2010013716.tif 000015
【図１４】
2010013716.tif 000016
【図１５】
2010013716.tif 000017
【図１６】
2010013716.tif 000018
【図１７】
2010013716.tif 000019
【図１８】
2010013716.tif 000020
【手続補正書】
【提出日】平成22年5月26日(2010.5.26)
【手続補正１】
【補正対象書類名】特許請求の範囲
【補正対象項目名】全文
【補正方法】変更
【補正の内容】
【特許請求の範囲】
【請求項１】
細長帯状の基板と、
基板の表面に所定間隔あけて配設された発光素子と、
基板に設けられ、各発光素子を接続する導電部とからなり、
基板の表面には、蛍光部材が設けられ、
基板の裏面には、接着部によって、基板の端縁から延出する大きさに形成された細長帯状の合成樹脂フィルムが設けられ、
合成樹脂フィルムの表面には基板全体を被覆するように透過性を有する軟質合成樹脂素材によって成形されたカバー体が設けられていることを特徴とする照明バンド。
【請求項２】
細長帯状の基板と、
基板の表面に所定間隔あけて配設された発光素子と、
基板に設けられ、各発光素子を接続する導電部とからなり、
基板の表面には、反射部材が設けられ、
基板の裏面には、接着部によって、基板の端縁から延出する大きさに形成された細長帯状の合成樹脂フィルムが設けられ、
合成樹脂フィルムの表面には基板全体を被覆するように透過性を有する軟質合成樹脂素材によって成形されたカバー体が設けられていることを特徴とする照明バンド。
【請求項３】
細長帯状の基板と、
基板の表面に所定間隔あけて配設された発光素子と、
基板に設けられ、各発光素子を接続する導電部とからなり、
基板の表面には、夜光部材が設けられ、
基板の裏面には、接着部によって、基板の端縁から延出する大きさに形成された細長帯状の合成樹脂フィルムが設けられ、
合成樹脂フィルムの表面には基板全体を被覆するように透過性を有する軟質合成樹脂素材によって成形されたカバー体が設けられていることを特徴とする照明バンド。
【請求項４】
（削除）
【請求項５】
（削除）
【請求項６】
（削除）
【請求項７】
（削除）
【請求項８】
合成樹脂フィルムの裏面には接着部が形成され、接着部には剥離紙が設けられていることを特徴とする請求項１、２又は３記載の照明バンド。
【請求項９】
（削除）
【請求項１０】
（削除）
【請求項１１】
（削除）
【請求項１２】
（削除）
【請求項１３】
請求項１乃至３及び請求項８のいずれか１項に記載の照明バンドと、
この照明バンドの基板の導電部を接続し、各発光素子に電気を供給するバッテリーボックスとからなることを特徴とする照明装置。
【請求項１４】
請求項１乃至３及び請求項８のいずれか１項に記載の照明バンドが複数と、
この複数の照明バンドの基板の導電部を接続し、各発光素子に電気を供給するバッテリーボックスとからなることを特徴とする照明装置。
【請求項１５】
基板の一端には導電部に接続された第１のコネクタが設けられ、
バッテリーボックスは、先端に第２のコネクタが設けられた電気コードを有しており、
基板は、これの第１のコネクタをバッテリーボックスの第２のコネクタに連結することにより、バッテリーボックスに着脱可能に接続されることを特徴とする請求項１３又は１４記載の照明装置。
【請求項１６】
前記バッテリーボックスには、各発光素子を点滅させる制御回路が設けられていることを特徴とする請求項１３、１４又は１５に記載の照明装置。
【請求項１７】
前記バッテリーボックスには、各発光素子を点滅及び点灯させる制御回路と、各発光素子の点滅と点灯を切り替える切替式スイッチが設けられていることを特徴とする請求項１３、１４又は１５に記載の照明装置。
【請求項１８】
請求項１３乃至１７のいずれか１項に記載の照明装置を備えたヘルメットであって、
照明バンド及びバッテリーボックスは、ヘルメット本体の表面に取り付けられていることを特徴とするヘルメット。
【請求項１９】
請求項１３乃至１７のいずれか１項に記載の照明装置を備えたヘルメットであって、
照明バンドは、ヘルメット本体の表面に取り付けられ、
バッテリーボックスは、ヘルメット本体の裏面に設けられた緩衝部材に埋設されていることを特徴とするヘルメット。
【手続補正２】
【補正対象書類名】明細書
【補正対象項目名】０００２
【補正方法】変更
【補正の内容】
【０００２】
が異なると、バンド本体の接触面がヘルメットの外側の曲面に対応できなくなり、一部が接触しなくなる等、完全な面接触をすることができず、見栄えも悪くなり、接触していない一部が引っ掛かりやすいという問題点があった。
［０００６］
本願発明は、上記問題点に鑑み案出したものであって、夜間に発光素子を点灯させて第三者に自分の位置・存在を知らせることができると共に、手元を明るくすることができ、発光素子が消灯した場合であっても、外部の光を受けてバンド本体の表面全体を明るくし、第三者に自分の位置・存在を知らせることができる照明バンドを提供することを第１の目的とする。また、上記第１の目的を備え、さらに装着する被装着物の形状・大きさに合せて、フレキシブルに接触面の形状を変化させることができる照明バンドを提供することを第２の目的とする。また、第１、第２の目的を備え、長期間使用でき、どのような種類の被装着物にも取り付けることができる照明装置を提供することを第３の目的とする。さらに、第３の目的を備えた照明装置を装着したヘルメットを提供することを第４の目的とする。
課題を解決するための手段
［０００７］
本願請求項１に係る照明バンドは、上記第１の目的を達成するため、細長帯状の基板と、基板の表面に所定間隔あけて配設された発光素子と、基板に設けられ、各発光素子を接続する導電部とからなり、基板の表面には、蛍光部材が設けられ、基板の裏面には、接着部によって、基板の端縁から延出する大きさに形成された細長帯状の合成樹脂フィルムが設けられ、合成樹脂フィルムの表面には基板全体を被覆するように透過性を有する軟質合成樹脂素材によって成形されたカバー体が設けられていることを特徴とする。
［０００８］
本願請求項２に係る照明バンドは、上記第１の目的を達成するため、細長帯状の基板と、基板の表面に所定間隔あけて配設された発光素子と、基板に設けられ、各発光素子を接続する導電部とからなり、基板の表面には、反射部材が設けられ、基板の裏面には、接着部によって、基板の端縁から延出す
【手続補正３】
【補正対象書類名】明細書
【補正対象項目名】０００３
【補正方法】変更
【補正の内容】
【０００３】
る大きさに形成された細長帯状の合成樹脂フィルムが設けられ、合成樹脂フィルムの表面には基板全体を被覆するように透過性を有する軟質合成樹脂素材によって成形されたカバー体が設けられていることを特徴とする。
［０００９］
本願請求項３に係る照明バンドは、上記第１の目的を達成するため、細長帯状の基板と、基板の表面に所定間隔あけて配設された発光素子と、基板に設けられ、各発光素子を接続する導電部とからなり、基板の表面には、夜光部材が設けられ、基板の裏面には、接着部によって、基板の端縁から延出する大きさに形成された細長帯状の合成樹脂フィルムが設けられ、合成樹脂フィルムの表面には基板全体を被覆するように透過性を有する軟質合成樹脂素材によって成形されたカバー体が設けられていることを特徴とする。
［００１０］
［００１１］
［００１２］
［００１３］
［００１４］
本願請求項８に係る照明バンドは、上記第１の目的を達成するため、合成樹脂フィルムの裏面には接着部が形成され、接着部には剥離紙が設けられていることを特徴とする。
［００１５］
［００１６］
［００１７］
［００１８］
［００１９］
本願請求項１３に係る照明装置は、上記第３の目的を達成するため、前記照明バンドと、この照明バンドの基板の導電部を接続し、各発光素子に電気を供給するバッテリーボックスとからなることを特徴とする。
［００２０］
本願請求項１４に係る照明装置は、上記第３の目的を達成するため、前記照明バンドが複数と、この複数の照明バンドの基板の導電部を接続し、各発光素子に電気を供給するバッテリーボックスとからなることを特徴とする。
［００２１］
本願請求項１５に係る照明装置は、上記第３の目的を達成するため、前記
【手続補正４】
【補正対象書類名】明細書
【補正対象項目名】０００４
【補正方法】変更
【補正の内容】
【０００４】
基板の一端には導電部に接続された第１のコネクタが設けられ、バッテリーボックスは、先端に第２のコネクタが設けられた電気コードを有しており、基板は、これの第１のコネクタをバッテリーボックスの第２のコネクタに連結することにより、バッテリーボックスに着脱可能に接続されることを特徴とする。
［００２２］
本願請求項１６に係る照明装置は、上記第３の目的を達成するため、前記バッテリーボックスには、各発光素子を点滅させる制御回路が設けられていることを特徴とする。
［００２３］
本願請求項１７に係る照明装置は、上記第３の目的を達成するため、前記バッテリーボックスには、各発光素子を点滅及び点灯させる制御回路と、各発光素子の点滅と点灯を切り替える切替式スイッチが設けられていることを特徴とする。
［００２４］
本願請求項１８に係るヘルメットは、上記第４の目的を達成するため、前記照明装置を備えたヘルメットであって、照明バンド及びバッテリーボックスは、ヘルメット本体の表面に取り付けられていることを特徴とする。
［００２５］
本願請求項１９に係るヘルメットは、上記第４の目的を達成するため、前記照明装置を備えたヘルメットであって、照明バンドは、ヘルメット本体の表面に取り付けられ、バッテリーボックスは、ヘルメット本体の裏面に設けられた緩衝部材に埋設されていることを特徴とする。
【国際調査報告】
2010013716.tif 000021
2010013716.tif 000022
2010013716.tif 000023
2010013716.tif 000024